(57)【要約】【課題】紛失した携帯電話端末の現在位置に関する情報から実際の場所を特定し、捜索する際の手掛かりを得ることを目的とする。【解決手段】携帯電話基地局を介して外部機器との間で通信を行う携帯電話端末１００は、受信部１０２および送信部１０３により外部機器との間で信号の送受信を行う通信手段と、例えば画像を撮像するカメラ部１１１や音声を取得する音声入力部１０６等により、画像ファイルや音声などの周囲の情報を取得する情報取得手段と、制御回路１０７に制御され、この情報取得手段により取得された周囲の情報を外部機器に通知する情報通知手段とを備える。上記の情報取得手段は、キー入力部１０８に対する操作または通信手段にて受信された外部機器からの所定の信号（トーン信号）に応じて制御される。これにより、携帯電話端末１００の周囲の情報を取得し、紛失した携帯電話端末の捜索をする手掛かりとすることができる。【選択図】　　　　図２
2004140710.tif 000002
【特許請求の範囲】
【請求項１】
携帯電話基地局を介して外部機器との間で通信を行う携帯電話端末であって、
前記外部機器との間で信号の送受信を行う通信手段と、
操作釦に対する操作または前記通信手段にて受信された前記外部機器からの所定の信号に応じて周囲の情報を取得する情報取得手段と、
前記情報取得手段により取得された前記周囲の情報を、前記通信手段を介して前記外部機器に通知する情報通知手段と
を備えたことを特徴とする携帯電話端末。
【請求項２】
前記情報取得手段は、
前記外部機器からの前記所定の信号に基づいて画像を撮像することにより前記周囲の情報を取得することを特徴とする請求項１に記載の携帯電話端末。
【請求項３】
前記情報取得手段は、
前記外部機器からの前記所定の信号に基づいて周囲の音声を取得することにより前記周囲の情報を取得することを特徴とする請求項１に記載の携帯電話端末。
【請求項４】
装置の動作設定に関わらず、前記外部機器からの前記所定の信号に基づいて所定の音を強制的に出力する発音手段をさらに備えたことを特徴とする請求項１に記載の携帯電話端末。
【請求項５】
携帯電話基地局を介して外部機器との間で通信を行う携帯電話端末であって、
装置の回路に対して電力を供給する電力供給手段と、
前記外部機器との通信機能を維持したまま前記装置の外観上は電源オフの状態となるように電力を供給する電力制御手段と
を備えたことを特徴とする携帯電話端末。
【請求項６】
前記外部機器との間で信号の送受信を行う送受信手段をさらに備え、
前記電力制御手段は、
前記送受信手段を介した前記外部機器からの遠隔操作により前記電力供給手段からの電力の供給を制限することを特徴とする請求項５に記載の携帯電話端末。
【請求項７】
一般電話機または他の携帯電話端末からの発呼に応じて自動的に着呼を受ける携帯電話端末の制御方法であって、
前記着呼に応じて前記一般電話機または前記他の携帯電話端末から送信される所定の信号に応答可能な状態に移行し、
送信された前記所定の信号によって入力されたパスワードが予め設定されたパスワードに含まれる場合には、遠隔操作を受け付けるコマンド待機の状態に移行し、
前記所定の信号により対応コマンドが入力された場合には、当該対応コマンドに基づいて周囲の情報を取得する動作を行うことを特徴とする携帯電話端末の制御方法。
【請求項８】
所定の対応コマンドに応じてシャッター動作を行い、前記携帯電話端末の周囲の情報を撮像することにより画像としてメモリに保持し、
他の対応コマンドに応じて所定の宛先へのメールを作成すると共に、当該メールに前記画像を添付して送信することを特徴とする請求項７に記載の携帯電話端末の制御方法。
【発明の詳細な説明】
【０００１】
【発明の属する技術分野】
本発明は、移動通信端末である携帯電話端末に係り、より詳しくは、紛失または盗難に遭った場合に現在位置を特定することのできる携帯電話端末等に関する。
【０００２】
【従来の技術】
携帯電話端末を用いた移動通信においては、無線基地局と携帯電話端末とを所定の無線通信方式で接続することにより、他の携帯電話端末または一般電話との通話を可能とした通信サービスが提供されている。また、携帯電話サービスの加入者（以下、ユーザと称する）に提供される通信サービスとしては、音声による通話サービスばかりでなく、パケット通信によるｅ−ｍａｉｌの送受信サービスやウェブ閲覧サービス等が挙げられる。さらに携帯電話端末にはメモリが内蔵されており、他人の電話番号やｅ−ｍａｉｌのアドレス等、種々の個人情報を記録しておくことができる。ユーザは、この携帯電話端末を常時携帯することにより、通信電波の届く範囲内であれば、いつでも通信サービスを受けることができる。近年、多岐にわたる通信サービスの充実に伴い、携帯電話端末の利便性がさらに向上し、広く一般に普及している。
【０００３】
上記のような携帯電話端末は、ユーザが常時携帯可能であることが利点であるが、携帯可能であるが故にユーザの置き忘れや盗難等により、携帯電話端末を紛失してしまう場合がある。携帯電話端末を紛失した場合、ユーザは、紛失した携帯電話端末が見つかるまでの間、通信サービスを受けることができない。また、紛失した携帯電話端末が見つからない場合にユーザは、新たな携帯電話端末を購入しなければならず、経済的な負担が生じる。さらにユーザは、紛失した携帯電話端末のメモリに記録された情報を喪失してしまう。盗難に遭った場合や紛失した携帯電話端末を拾われたりした場合には、メモリに記録された情報を悪用される虞がある。
【０００４】
ここで、紛失した携帯端末を捜索する際の従来技術として、紛失通知受け付け機能と、携帯端末不正使用管理機能と、紛失携帯端末捜索機能とを有し、これらの機能により携帯端末を捜索する技術が開示されている（例えば、特許文献１参照）。また、紛失した携帯電話装置の不正使用を防止する技術として、パソコンから信号を送信することにより携帯電話装置を遠隔操作してキー操作を無効化させる技術が開示されている（例えば、特許文献２参照）。
【０００５】
【特許文献１】
特開平８−３３６１７８号公報（第３頁、図１）
【特許文献２】
特開２０００−４１１０２号公報（第５頁、図１）
【０００６】
【発明が解決しようとする課題】
上記の特許文献１に記載された技術では、紛失携帯端末捜索機能により携帯端末を捜索し、この携帯端末が或る交換局のエリア内にあるのを確認することができる。しかしながら、この特許文献１に記載された技術では、紛失した携帯端末の詳細な位置を特定することはできず、この携帯端末を発見することができるとは言い難い。また、上記の特許文献２に記載された技術では、遠隔操作で携帯電話装置のキー操作を無効化させることができ、これにより携帯電話装置の不正使用を防止することができる。しかしながら、この特許文献２に記載された技術では、携帯電話装置の不正使用を試みた犯人を特定することはできず、さらに、この携帯電話装置を発見することができない。
【０００７】
ところで、紛失したり盗難に遭ったりした携帯電話端末を捜索し発見するための現実的な手段としては、拾得物の確認をしたり、誰かが出てくれることを期待し他の電話から呼び出したりすることが考えられる。しかしながら、実際このような手段によっては、紛失した携帯電話端末を容易に発見することはできなかった。紛失した携帯電話端末を捜し出すには、この携帯電話端末の現在位置に関する情報（携帯電話端末の周囲の様子）を確認することが有効であるが、上述のように、このような情報を取得するのは困難であった。また、盗難に遭った携帯電話端末で不正使用が行われた場合には、通話記録を調べることはできても、実際に不正使用を行った犯人を特定するのは困難であった。さらに、携帯情報端末に記録された情報が悪用された場合には、実際に誰が不正に使用したのかということまでは特定することができない。
【０００８】
本発明は、上記のような技術的課題を解決するためになされたものであって、その目的とするところは、紛失した携帯電話端末の現在位置に関する情報から実際の場所を特定し、且つ携帯電話端末を不正使用した人物を特定して捜索する際の手掛かりを得ることのできる携帯電話端末を提供することにある。
また、他の目的は、紛失した携帯電話端末を遠隔操作し、不正使用を防止すると共に、この携帯電話端末を捜索するための携帯電話端末の制御方法を提供することにある。
【０００９】
【課題を解決するための手段】
かかる目的のもと、本発明は、以下のような機能を実現する携帯電話端末を提供することができる。すなわち、本発明にて提供される携帯電話基地局を介して外部機器との間で通信を行う携帯電話端末は、通信手段により外部機器との間で信号の送受信を行い、情報取得手段によりこの携帯電話装置に設けられた操作釦に対する操作または通信手段にて受信された外部機器からの所定の信号に応じて周囲の情報を取得し、情報通知手段によって情報取得手段により取得された周囲の情報を、通信手段を介して外部機器に通知する。これにより、外部機器において、携帯電話端末の周囲の情報を察知することができ、紛失した携帯電話端末の捜索をするにあたっての手掛かりとすることができる。この携帯電話端末は、電源オンの状態であれば外部機器からの遠隔操作を受け付けて、この遠隔操作にしたがって動作することができ、上記の機能を実現することができる。
【００１０】
ここで、この情報取得手段は、外部機器からの所定の信号に基づいて画像を撮像することにより周囲の情報を取得する。この画像の撮像は、例えば、カメラなどの撮像手段により周囲を撮像することにより実現され、撮像された画像ファイルは情報通知手段によって、例えば電子メールに添付することによりコンピュータ端末等に送信される。また、この情報取得手段は、外部機器からの所定の信号に基づいて周囲の音声を取得することにより周囲の情報を取得する。この音声の取得は、例えば、通話時に用いられるマイクロフォンの感度を向上させる（高感度に切り替える）ことにより実現され、取得された音声は音声信号として情報通知手段によって、例えば一般電話機や携帯電話端末等に伝送される。
さらにこの携帯電話端末では、発音手段により装置の動作設定に関わらず、外部機器からの所定の信号に基づいて所定の音を強制的に出力する。すると、例えば、着呼に応じた着信音の発音やバイブレーションが起こらないような動作設定がなされている場合であっても、発音させることができ、携帯電話端末が近くにあれば、音の発生源を特定することによりこの携帯電話端末を発見することができる。
【００１１】
また、上記の目的を達成する本発明は、以下のような携帯電話端末を提供することができる。すなわち、携帯電話基地局を介して外部機器との間で通信を行う携帯電話端末は、電力供給手段により装置の回路に対して電力を供給し、電力制御手段により、外部機器との通信機能を維持したままこの装置の外観上は電源オフの状態となるように電力を供給する。ここで、このような電力供給の制御が行われている場合には、この携帯電話端末は、内部的には電源オンの状態であり、外部機器から送信された信号を受信することができ、これにより遠隔操作が実現される。
この携帯電話端末は、外部機器との間で信号の送受信を行う送受信手段をさらに備えた機能構成とすることができ、このような機能構成において電力制御手段は、送受信手段を介した外部機器からの遠隔操作により電力供給手段からの電力の供給を制限する。また、携帯電話端末の操作手段としてこの携帯電話端末に設けられた操作釦に対して所定の操作を行うことにより、上記の遠隔操作と同様の電力供給の制限を行うことができる。
【００１２】
ここで、上記の目的を達成する本発明は、一般電話機または他の携帯電話端末からの発呼に応じて自動的に着呼を受ける携帯電話端末における以下のような制御方法を提供することができる。すなわち、この携帯電話端末の制御方法は、着呼に応じて一般電話機または他の携帯電話端末から送信される所定の信号に応答可能な状態に移行し、この送信された所定の信号によって入力されたパスワードが予め設定されたパスワードに含まれる場合には、遠隔操作を受け付けるコマンド待機の状態に移行し、この所定の信号により対応コマンドが入力された場合には、この対応コマンドに基づいて周囲の情報を取得する動作を行う。ここで、例えば、着呼に応じて所定回数以上の呼び出しが行われた際に携帯電話端末が留守番電話の状態となり、この状態において上記のようなコマンドの受け付け動作が行われるものとすることができる。
この携帯電話端末の制御方法では、所定の対応コマンドに応じてシャッター動作を行い、この携帯電話端末の周囲の情報を撮像することにより画像としてメモリに保持し、他の対応コマンドに応じて所定の宛先へのメールを作成すると共に、このメールに画像を添付して送信する。
【００１３】
また本発明は、上述した携帯電話端末の制御方法における各処理は、この携帯電話端末を制御するファームウェアプログラムとして実現することができる。このようなファームウェアプログラムが、携帯電話端末に設けられた書き替え可能なメモリに記録されていれば、このファームウェアプログラムを書き替えることも可能であり、バグフィックス等を容易に行うことができる。
【００１４】
【発明の実施の形態】
以下、添付図面を参照しながら本発明の実施の形態について詳細に説明する。
図１は、本実施の形態における通信サービスを実現するシステムの構成を示すブロック図である。図１に示すように、本実施の形態を実現するシステムは、携帯電話端末１０と、この携帯電話端末１０の基地局である携帯電話基地局２０と、電話網３１および電話交換機（図示せず）等を介して携帯電話基地局２０と接続された一般電話機３０とを備える。携帯電話端末１０と携帯電話基地局２０とは、アンテナ１１，２１を介して所定の無線通信方式にて接続されることにより電波の送受信が可能となり、この電波の伝搬によって通信サービスが実現される。この通信サービスとしては、音声（信号）による通話サービス、デジタルデータ（信号）やコマンドを送受信するパケット通信サービスなどが挙げられる。
【００１５】
上記の通話サービスの実施にあたって、携帯電話端末１０または一般電話機３０からの呼び出し（以下、発呼とする）が行われると、携帯電話基地局２０は、この発呼に応じた携帯電話端末１０を呼び出す。この携帯電話基地局２０からの呼び出しが、携帯電話端末１０に着信することを着呼とする。そして、携帯電話端末１０に着呼があると、この携帯電話端末１０は、例えば、ユーザによって通話釦を押されることにより、通話が可能な状態となる。
【００１６】
ところで、本実施の形態における携帯電話端末１０は、例えば、釦操作に応じたトーン信号による遠隔操作が可能である。以下では、通話サービスに含まれる留守番電話サービスを例に、このトーン信号による遠隔操作について説明する。この留守番電話サービスでは、着呼のあった携帯電話端末１０が、この着呼に応じない場合に、携帯電話基地局２０または着呼側の携帯電話端末１０に音声メッセージ等を記録することができる。携帯電話基地局２０に記録された音声メッセージは、上記の着呼側の携帯電話端末１０にて所定の操作を行うことにより再生することができる。この際、携帯電話端末１０から携帯電話基地局２０に、ユーザの釦操作に基づいて発信されるトーン信号としての釦音が送信される。そして、携帯電話基地局２０では、このトーン信号に基づいて発呼側の携帯電話端末１０により記録されたメッセージの再生を行う。
【００１７】
一方、着呼のあった携帯電話端末１０自身に記録されたメッセージは、この携帯電話端末１０にて所定の釦操作を行うことにより再生することができる。さらに、他の携帯電話端末１０または一般電話機３０からユーザの携帯電話端末１０へ発呼を行い、留守番電話サービスが開始された際に所定の釦操作を行うことにより、トーン信号（例えば、再生コマンド）を送信し、このトーン信号に基づいて、着呼側の携帯電話端末１０の制御（制御内容については後に詳述する）を行うことができる。本実施の形態では、このトーン信号によって実現される遠隔操作機能を拡張し、携帯電話端末１０を動作させてこの携帯電話端末１０の周囲の情報を取得することにより、この情報に基づいて紛失した携帯電話端末１００を捜索するための手掛かりを取得する。
【００１８】
また、パケット通信サービスの実施にあたって、例えば、電話網３１にパーソナルコンピュータ（図示せず）を接続し、このパーソナルコンピュータのモデムから携帯電話基地局２０を介して携帯電話端末１０への発呼を行い、所定のコマンドを信号として送信することもできる。着呼のあった携帯電話端末１０が、この着呼に応じて留守番電話サービスの状態となり、携帯電話基地局２０を中継して送信されたコマンドの信号を受信することにより、携帯電話端末１０は、このコマンドにしたがって制御される。つまり、携帯電話端末１０を、パーソナルコンピュータ等からの遠隔操作に応じて動作させることも可能である。このように、パケット通信サービスを利用した場合であっても、上記のトーン信号を用いた場合と同様に、携帯電話端末１０の遠隔操作が可能である。
【００１９】
図２は、本実施の形態における携帯電話端末の機能構成を示すブロック図である。以下、図２に示す携帯電話端末１００は、図１のシステム構成に示した携帯電話端末１０に含まれる。
図２に示すように、この携帯電話端末１００は、携帯電話基地局２０との間で種々の信号を電波として送受信するアンテナ１０１と、このアンテナ１０１にて受信された電波を受信する受信部１０２と、携帯電話端末１００から送信される電波をアンテナ１０１へ送る送信部１０３と、デジタル信号と音声信号との変調および復調を行うモデム１０４と、受信部１０２にて受信された音声信号を音声として出力する音声出力部１０５と、送信部１０３から音声信号として送信される音声を入力する音声入力部１０６と、この携帯電話端末１００を操作するための釦等からなるキー入力部１０８と、種々のデータを保持することのできるメモリからなる記憶部１０９と、この携帯電話端末１００を制御するファームウェアプログラムにしたがって動作するＣＰＵ（図示せず）を含む制御回路１０７とが備えられており、受信部１０２、送信部１０３、音声出力部１０５、音声入力部１０６、キー入力部１０８、および記憶部１０９はそれぞれモデム１０４を介して制御回路１０７に接続されている。
【００２０】
また、記憶部１０９は、不揮発性メモリからなり、ユーザがこの携帯電話端末１００に対して独自に設定した、例えば４桁の数字からなる固有のパスワードが記憶される。さらにこの記憶部１０９には、この携帯電話端末１００自身の電話番号、ｅ−ｍａｉｌアドレス、ウェブ設定ばかりでなく、他人の電話番号やｅ−ｍａｉｌアドレス等、種々の個人情報が記憶されている。
【００２１】
この携帯電話端末１００は、さらに、ＣＣＤ（Ｃｈａｒｇｅ　Ｃｏｕｐｌｅｄ　Ｄｅｖｉｃｅ）等からなるカメラ部１１１を駆動するためのカメラ部駆動回路１１０と、液晶表示ディスプレイ等からなる表示部１１３を駆動するための表示部駆動回路１１２と、ビープ音またはベル音を発する発音部１１５を駆動するための発音部駆動回路１１４と、バイブレータ機能を実現する振動ユニット１１７を駆動するための振動ユニット駆動回路１１６とが備えられており、それぞれの駆動回路は、制御回路１０７に接続され、この制御回路１０７によって制御される。
【００２２】
図２に示した携帯電話端末１００において通話サービスを利用するにあたっては、アンテナ１０１、受信部１０２、送信部１０３を介して携帯電話基地局２０との間における着呼および発呼を行い、受信された信号を音声として音声出力部１０５から出力すると共に、音声入力部１０６から入力された音声を信号として送信する。このような発呼や着呼、またはｅ−ｍａｉｌの送受信等を行うにあたって、携帯電話端末１００は、このキー入力部１０８に対する操作に応じた制御回路１０７の制御にしたがって動作する。この操作において必要な各種情報は、例えば、文字や画像として表示部１１３に表示され、ユーザは、この表示にしたがって操作を行うことができる。また、この携帯電話端末１００において着呼があった場合、またはｅ−ｍａｉｌの着信があった場合などには、発音部１１５により音を発生させたり、振動ユニット１１７により携帯電話端末１００を振動させたりすることによって、その旨をユーザに示すことができる。さらに、カメラ部１１１を用いた写真の撮像が可能であり、このカメラ部１１１にて撮像された画像データとしての写真は、記憶部１０９に複数枚記憶しておくことができる。
【００２３】
カメラ部１１１は、キー入力部１０８において所定の釦操作が行われた際に、制御回路１０７の制御にしたがいカメラ部駆動回路１１０によって駆動され、シャッター動作がなされ、このシャッター動作により写真（画像データ）が撮像される。このカメラ部１１１は、携帯電話端末１００の背面（表示部１１３とは反対側の面）に設けられており、その動作時には、例えば表示部１１３に撮像可能な範囲を表示し、シャッター動作に応じて、表示部１１３に表示された風景や人物等を撮像することができる。また、このカメラ部１１１をユーザ側に向けることにより、ユーザ自身を撮像することも可能である。さらに本実施の形態においては、カメラ部１１１は、携帯電話端末１００の釦ばかりでなく、制御回路１０７の制御に基づき、この携帯電話端末１００と接続状態にある一般電話機３０や携帯電話端末１０からの信号に応じて遠隔操作することも可能である。
【００２４】
音声入力部１０６は、例えば、高感度のマイクなどからなり、ユーザにより電話通話が行われる場合には、制御回路１０７により周囲の雑音等が入力されないように制御され、ユーザが発音した音声を検知して音声信号として入力することができる。この音声入力部１０６は、通常の通話時には、上記のように制御されることが好ましいが、本実施の形態では、この音声入力部１０６の集音感度を任意に上げることにより、携帯電話端末１００の周囲の音（携帯電話端末１００の現在位置における雑踏の音等）を取得することが可能である。この音声入力部１０６による音声または雑音の検知（取得）は、ユーザが電話通話を行おうとした際の携帯電話端末１００の釦に対する操作ばかりでなく、制御回路１０７の制御に基づき、この携帯電話端末１００と接続状態にある一般電話機３０や携帯電話端末１０から送信される信号に応じて遠隔操作することも可能である。
【００２５】
発音部１１５は、制御回路１０７の制御にしたがって発音部駆動回路１１４によって駆動され、例えば、スピーカなどからビープ音やベル音などを出力することができる。図２においては、上記の音声出力部１０５と発音部１１５とを、機能面から個別に記載したが、物理的には同じものであっても構わない。この発音部１１５により発音される音は、電話通話の際に出力される音よりも大きく、携帯電話端末１００から離れた位置に居るユーザが聞き取ることのできる、高出力の音である。ここで、本実施の形態における発音部１１５からの音の出力は、制御回路１０７の制御に基づき、この携帯電話端末１００と接続状態にある一般電話機３０や携帯電話端末１０から送信される信号に応じて遠隔操作することができる。
【００２６】
このように、本実施の形態における携帯電話端末１００は、一般電話機３０や携帯電話端末１０から送信された信号により遠隔操作することができる。すなわち、携帯電話端末１００は、一般電話機３０や携帯電話端末１０での釦操作により発生するトーン信号をアンテナ１０１および受信部１０２を介して受信し、このトーン信号をモデム１０４にてデジタル信号に復調し、復調されたデジタル信号を制御回路１０７に送る。そして制御回路１０７は、送られてきたデジタル信号にしたがい、各駆動回路の動作を制御する。本実施の形態では、紛失した携帯電話端末１００が着呼に応じ、例えば留守番電話の状態（自動的に着呼に応じて留守番電話機能が応答を開始し、外部機器からのトーン信号を受信可能な状態）となった場合に、この携帯電話端末１００の遠隔操作が実現される。
【００２７】
図１に示した携帯電話基地局２０を介して一般電話機３０や他の携帯電話端末１０などの外部機器との間で通信を行う携帯電話端末１００では、上記のアンテナ１０１、受信部１０２、送信部１０３が、この外部機器と信号による通信（送受信）を行う通信手段として機能し、例えば、上記の音声入力部１０６、カメラ部１１１が、外部機器からの信号に応じて周囲の情報を取得する情報取得手段として機能する。この周囲の情報を取得する動作は、例えばキー入力部１０８に対する操作、または外部機器から送信された信号による遠隔操作によって実現される。また、制御回路１０７は、取得された周囲の情報を外部機器に通知する情報通信手段として機能する。このような機能により、周囲の情報を外部機器に通知すれば、通知された周囲の情報を手掛かりとして、紛失した携帯電話端末１００を捜索することが可能となる。また、例えばマナーモード等の設定により、着信音を発しない設定や、バイブレーションが起こらない設定とされていた場合であっても、発音手段として機能する発音部１１５（音声出力部１０５）から強制的に音を出力することにより、出力された音が聞こえる範囲内に居れば、携帯電話端末１００の位置を特定することができる。
【００２８】
ところで、携帯電話端末１００において上記の遠隔操作を行うためには、この携帯電話端末１００が留守番電話の状態に移行可能であることが要求される。すなわち、携帯電話端末１００を遠隔操作によって捜索するためには、この携帯電話端末１００の電源がＯＮの状態となっていることが必須の要件となる。しかしながら、特に、携帯電話端末１００が盗難に遭った場合などには、意図的に電源がＯＦＦの状態にされてしまうことが考えられる。そうすると、留守番電話の状態への移行ができなくなり、捜索が不可能となってしまう。
【００２９】
そこで本実施の形態では、携帯電話端末１００を紛失した場合、若しくは盗難に遭った場合であっても、一般電話機３０や携帯電話端末１０からの着呼があった際に、留守番電話の状態に移行することができるように、電源の状態が管理される。ここで、この携帯電話端末１００の電源の状態は、以下の３つの状態となるように制御される。まず、電池により携帯電話端末１００が動作可能な電圧を供給することができなくなった場合、若しくはユーザが意図的に電源釦を操作して電圧の供給を停止した場合を「電源ＯＦＦ」の状態とする。
【００３０】
一方、携帯電話端末１００に対して所定の電圧を供給している場合を電源ＯＮの状態とする。ここで、本実施の形態における電源ＯＮの状態として、以下の２つの状態が設けられる。例えば、表示部１１３に待受画面が表示されており、着呼があった際には、音声出力部１０５から着信音が出力され、または振動ユニット１１７が駆動され、ユーザが通話を行うことができる場合を「通常待機」の状態とする。また、例えば、表示部１１３には何も表示されない状態であり、着呼があっても着信音または振動を発することがなく、ユーザが通話を行うことができない場合を「擬似ＯＦＦ」の状態とする。
【００３１】
以上のように、携帯電話端末１００の電源の状態として、電源ＯＦＦ、通常待機、および擬似ＯＦＦの状態が設けられている。電源ＯＦＦ、通常待機の状態については、従来における携帯電話端末と同様に動作する。また、擬似ＯＦＦの状態において携帯電話端末１００は、内部的には電源ＯＮの状態であり、各機能を所定の制限に基づいて動作させることはできるが、外観上は電源ＯＦＦの状態であり、ユーザには、あたかも動作していないように見える。このように擬似ＯＦＦの状態は、電源がＯＮの状態であるので（電源がＯＮの状態を維持する手法については後述する）、一般電話機３０または携帯電話端末１０から送信された信号を検知し、遠隔操作を実現することができる。また、携帯電話端末１００の電源が通常待機の状態である場合には、この遠隔操作により擬似ＯＦＦの状態とすることができる。このようにすれば、この携帯電話端末１００が盗難に遭った、若しくは誰かに拾得された際に、記録された情報の不正使用（悪用）を未然に防止することができる。
【００３２】
図３は、本実施の形態における携帯電話端末１００の電源の状態とそれぞれの状態の相関関係を示す状態遷移図である。図３に示す各状態の遷移は、制御回路１０７によって実現され、この制御回路１０７において動作するファームウェアプログラムによって制御される。
図３に示すように、携帯電話端末１００の電源の状態としては、全ての回路への電源の供給がＯＦＦされており何も動作しない電源ＯＦＦ２１０の状態と、一部または全部の回路への電源の供給がＯＮされており、機能の一部または全部が動作する電源ＯＮ２２０の状態とがある。ここで、この携帯電話端末１００には、電源ＯＮ２２０の状態における特殊な状態として、擬似ＯＦＦ２２１の状態がある。そして、この擬似ＯＦＦ２２１の状態においては、外観上は電源がＯＦＦに見えても通信機能に対する電力の供給が維持されるため、外部機器からの遠隔操作を受け付けることができる。
【００３３】
ここで、本実施の形態の携帯電話端末１００における電源のＯＮ／ＯＦＦの切り替え操作について説明する。
通常の携帯電話端末における一般的な操作では、同じ釦（例えば電源釦）を押すことにより電源の状態が切り替えられる。電源ＯＦＦの状態から電源ＯＮの状態に切り替える場合には、電源釦を短押し（例えば２秒間押し続け）する。また、電源ＯＮの状態から電源ＯＦＦの状態に切り替える場合には、電源釦を短押しする。
一方、本実施の形態の携帯電話端末１００における電源の切り替え操作は、以下のとおりである。すなわち、電源ＯＦＦ２１０の状態から電源ＯＮ２２０の状態に切り替える場合の操作は、上記の一般的な操作と同じであり、電源釦を短押しすることにより実現される。また、上記の一般的な操作における電源ＯＮの状態から電源ＯＦＦの状態への切り替え操作と同じ操作（電源釦の短押し）を行った場合には、擬似ＯＦＦ２２１の状態となる。この携帯電話端末１００において、電源ＯＮ２２０の状態から電源ＯＦＦ２１０の状態にするためには、上記の一般的な操作とは異なる特別の操作を行う。具体的には、電源釦を長押し（例えば４秒間押し続け）する、所定時間内に電源釦の短押し（例えば約２秒）を２回連続して行う等の操作を行う。
つまり、本実施の形態の携帯電話端末１００は、電源ＯＦＦとするための一般的な操作（通常の操作）では、擬似ＯＦＦ２２１の状態になる。
【００３４】
また、この擬似ＯＦＦ２２１の状態において電源釦の短押しが行われた場合には、通常待機２２２の状態となる。このように制御すれば、これを知らずに操作した場合には、あたかも電源がＯＮ／ＯＦＦされているように見受けられる。これにより、釦操作により電源ＯＦＦ２１０の状態とされてしまうことを防止できる。したがって、携帯電話端末１００を紛失した、若しくは盗難にあった際にも、電源ＯＮ２２０の状態を維持することができ、遠隔操作のコマンドを待っている状態が維持されるので、外部機器からのコマンドが送信されてきた場合には、そのコマンドに応じて動作することができる。
【００３５】
図３に示したように、電源ＯＮ２２０時の状態遷移としては、外観上は電源ＯＦＦの状態であり、着呼があった場合にも着信音を発することなく留守番電話だけを受け付ける擬似ＯＦＦ２２１の状態、着呼があった際に通常の電話通話を行うことのできる通常待機２２２の状態、着呼に応じて自動的に受話してメッセージ応答を行う留守番電話２２３の状態、外部からのコマンドを受け付けるコマンド待機２２４の状態、外部との音声による電話通話を行うことのできる通常通話２２５の状態がある。
【００３６】
電源ＯＦＦ２１０の状態から電源ＯＮ２２０の状態となった場合には、擬似ＯＦＦ２２１の状態または通常待機２２２の状態となる。これら擬似ＯＦＦ２２１の状態と通常待機２２２の状態とは、電源釦を短押しすることにより相互に切り替えられる。通常待機２２２の状態において、例えば通話釦を押されることによりオフフックし、キー入力部１０８から相手先の電話番号を入力されることによって、通常通話２２５の状態となり、この通常通話２２５の状態において、例えば電源釦を押されることによりオンフックし、通常待機２２２の状態に戻ることができる。
【００３７】
また、擬似ＯＦＦ２２１の状態または通常待機２２２の状態において着呼があり、所定回数（例えば８回）呼び出し音が発せられるまでに着呼に応じない場合は、自動的に留守番電話２２３の状態となる。この留守番電話２２３の状態では、相手先からの音声は、メッセージとして記憶（録音）される。そして、留守番電話２２３の状態においてメッセージ応答が完了すると、携帯電話端末１００は、コマンド待機２２４の状態となる。このコマンド待機２２４の状態において、トーン信号が受け付けられ、このトーン信号が携帯電話端末１００に入力される。そうすると携帯電話端末１００では、このトーン信号によって示されるコマンドにしたがい、制御回路１０７の制御により各機能（後述する）が動作する。そして、このコマンド待機２２４の状態において、外部からのトーン信号にしたがった制御が行われ、外部機器との接続を終了（切断）した後には、擬似ＯＦＦ２２１または通常待機２２２の状態に戻る。
【００３８】
ここで、上記のコマンド待機２２４の状態において、外部機器により行われる釦操作としては、「０〜９」の数字釦および「＃」または「＊」の記号釦への釦操作があり、携帯電話端末１００には、それぞれの釦操作に応じたトーン信号が入力される。そして携帯電話端末１００は、例えば２つの数字のトーン信号の後に記号のトーン信号が入力された場合（例えば、「０＋１＋＃」、「０＋２＋＃」など）、このトーン信号をひとつのコマンドとして認識する。制御回路１０７には、トーン信号による予め決められたコマンド制御を記録したテーブル等が記録されており、入力されたトーン信号をこのコマンドの一覧に基づいて所定のコマンドとして認識する。そして、制御回路１０７は、認識された所定のコマンドにしたがって、各駆動部などを制御して動作させる。このようなコマンドを認識させるための釦操作の一覧を、例えば取り扱い説明書などに添付しておくことにより、遠隔操作を行おうとするユーザは、この一覧表に基づいて外部機器からの操作を行うことができる。
【００３９】
外部機器からのコマンドによって実現可能な機能の一例としては、例えば、カメラ部１１１にて写真を撮像する機能、発音部１１５にて所定の音を発音する機能、音声入力部１０６から音声（または周囲の音）を入力する機能、および通常待機２２２の状態から擬似ＯＦＦ２２１の状態に移行する機能などが挙げられる。また、携帯電話端末１００の不正使用または情報の悪用を防止するための機能として、キー入力部１０８に対する釦操作を全て無効にする機能などを設けることができる。
【００４０】
本実施の形態における携帯電話端末１００では、上述したような、電源ＯＮ、電源ＯＦＦ、（電源）擬似ＯＦＦを実現するための電源状態の管理が行われる。すなわちこの携帯電話端末１００には、装置の各回路に対して電力を供給するバッテリなどの電力供給手段が設けられており、外部機器からの遠隔操作または操作釦に対する操作に応じて、電力制御手段としての制御回路１０７の制御により、この外部機器との通信機能を維持したまま擬似ＯＦＦの状態となるように各制御回路への電力の供給を制限する。
【００４１】
以下、図４〜図７に示すフローチャートを用いて、携帯電話端末１００の遠隔操作を行う際の処理について説明する。
図４は、本実施の形態における携帯電話端末１００の遠隔操作全体の処理を示すフローチャートである。
携帯電話端末１００に対し、一般電話機３０または携帯電話端末１０などの外部機器からの発呼が行われると（ステップ４０１）、携帯電話基地局２０を介して電波が送信され、携帯電話端末１００における着呼が自動的行われる（ステップ４０２）。携帯電話端末１００を拾得した人がこの携帯電話端末１００を操作してステップ４０２の着呼に応じた場合には、その通話にて、その相手に返還を求めることができ、紛失した携帯電話端末１００を取り戻すことができる。またステップ４０２において、返還を拒否された場合や着呼に応じない場合であっても、外部機器からの発呼を中継した携帯電話基地局２０を特定することにより、この携帯電話端末１００がそのときにあった場所を或る程度特定することができる。
【００４２】
ステップ４０２の着呼に対し、応答がなく、所定回数以上の呼び出しが行われた場合に携帯電話端末１００は、留守番電話２２３の状態となる（ステップ４０３）。ステップ４０３においてメッセージ応答中に、メッセージを残すための釦操作（例えば「０＋＃」）が行われた場合には、外部機器からの音声を記憶部１０９に記憶する。また、ステップ４０３においてメッセージ応答が行われている間、若しくはメッセージ応答が完了してから所定時間内に、例えば４桁の数字からなるパスワード（ユーザにより予め設定され、携帯電話端末１００の記憶部１０９に記憶されたパスワード）に対応する釦操作（パスワードの入力を含む釦操作）が行われると（ステップ４０４）、この釦操作によるトーン信号が携帯電話端末１００にて受信される（ステップ４０５）。そして制御回路１０７では、ステップ４０５にて受信されたパスワードと、ユーザにより予め設定されたパスワードとが一致するか否かの判断が行われる（ステップ４０６）。ステップ４０６において、パスワードが一致しないと判断された場合には、外部機器と携帯電話端末１００との接続を強制切断し（ステップ４１１）、遠隔操作の処理が終了する。ステップ４１１のような強制切断を行うことにより、パスワードを知らない人による不正なアクセスを防止することができる。
【００４３】
また、ステップ４０６において、パスワードが一致すると判断された場合には、コマンド待機２２４の状態なり、外部機器において釦操作が行われ、トーン信号によるコマンドが携帯電話端末１００に入力（送信）されるまで待機する（ステップ４０７）。そして、外部機器において釦操作が行われ、所定の釦操作によるコマンドが携帯電話端末１００にて受信される（ステップ４０８）。携帯電話端末１００では、ステップ４０８にて受信されたコマンドが、制御回路１０７に記録されたコマンドと対応したコマンドであるか否かの判断が行われる（ステップ４０９）。ステップ４０９において対応したコマンドではないと判断された場合には、ステップ４０７〜ステップ４０９を繰り返す。対応したコマンドであると判断されたときは、このコマンドにしたがって、図５〜図７に示す動作が行われる（ステップ４１０）。
【００４４】
図５は、遠隔操作による写真撮像および撮像された写真の送信を行うための処理の流れを示すフローチャートである。
図４のステップ４０９では、受信されたコマンドがシャッターコマンドであるか否かの判断が行われており（ステップ５０１）、このコマンドがシャッターコマンドでない場合には、シャッターコマンドが送信されるまで、または図４に示したフローチャートが終了するまで待機する。ステップ５０１において、シャッターコマンドであると判断された場合には、制御回路１０７の制御によりカメラ部駆動回路１１０が駆動されカメラ部１１１においてシャッター動作が行われる（ステップ５０２）。シャッター動作により撮像された写真の画像は、後にユーザに対して送信されるため、記憶部１０９に記憶され、写真予約に登録される（ステップ５０３）。そして、記憶部１０９に設けられたカウンタに１が加算されることにより、写真予約された枚数がカウントされる（ステップ５０４）。
【００４５】
その後、さらに、ステップ５０１の判断が行われ、シャッターコマンドではないと判断された場合には、写真送付コマンドであるか否かの判断が行われる（ステップ５０５）。ステップ５０５において写真送付コマンドではない判断された場合には処理を終了し、図４のステップ４０７〜４０９を繰り返し、対応コマンドが送信されるまで待機する。ステップ５０５において、写真送付コマンドであると判断された場合には、例えば、ユーザが予め紛失時のメール送信先として設定し、記憶部１０９に記憶されていたメールアドレスへのメールが作成され、ステップ５０３にて写真予約として登録された写真が添付され、上記のメールアドレスに対して送信される（ステップ５０６）。
【００４６】
図６は、遠隔操作により発音動作を行うための処理の流れを示すフローチャートである。
図４のステップ４０９では、受信されたコマンドが発音コマンドであるか否かの判断が行われており（ステップ６０１）、このコマンドが発音コマンドでない場合には、発音コマンドが送信されるまで、または図４に示したフローチャートが終了するまで待機する。ステップ６０１において発音コマンドであると判断された場合には、制御回路１０７の制御により発音部駆動回路１１４が駆動され発音部１１５において発音動作が行われる（ステップ６０２）。
【００４７】
図７は、遠隔操作による音声入力および入力された音声の送信を行うための処理の流れを示すフローチャートである。
図４のステップ４０９では、受信されたコマンドが音声入力コマンドであるか否かの判断が行われており（ステップ７０１）、このコマンドが音声入力コマンドでない場合には、音声入力コマンドが送信されるまで、または図４に示したフローチャートが終了するまで待機する。ステップ７０１において音声入力コマンドであると判断された場合には、制御回路１０７の制御により音声入力部１０６より音声を入力する音声入力動作が行われる。そして、この入力された音声は音声信号として上記の外部機器に対して送信される（ステップ７０３）。
【００４８】
以上では、周囲の様子から携帯電話端末１００の現在位置を特定する場合について例示したが、例えば、携帯電話端末１００自身が、この携帯電話端末１００の現在位置を検知することのできる構成を備えていれば、本実施の形態は、以下のような変形例を実現することができる。
図８は、本実施の形態における携帯電話端末１００の機能構成の変形例を示すブロック図である。この携帯電話端末１００は、図２に示した携帯電話端末１００における機能に加えて、ＧＰＳ（Ｇｌｏｂａｌ　Ｐｏｓｉｔｉｏｎｉｎｇ　Ｓｙｓｔｅｍｓ）１１８をさらに備える。このように、ＧＰＳ１１８が備えられたことにより、この携帯電話端末１００の現在位置の位置情報を正確に取得することができる。このような構成の携帯電話端末１００では、ユーザが外部機器よりコマンドを送信した際、このＧＰＳ１１８にて特定される位置情報を音声ガイダンスまたはメール等によって通知することにより、この携帯電話端末１００の現在位置を特定することができる。さらに、特定された地点において例えば、上述したようなカメラ部１１１による写真の撮像や発音部１１５による発音動作と併用することにより、紛失した携帯電話端末１００を捜索することができる。
【００４９】
このように、本実施の形態によれば、携帯電話端末１００を外部機器である一般電話機３０または携帯電話端末１０から遠隔操作することができる。さらに、この携帯電話端末１００は、見かけ上では電源ＯＦＦであっても、内部的には電源ＯＮの状態である擬似ＯＦＦの状態を維持することができる。これにより、容易に電源をＯＦＦにすることができなくなり、遠隔操作を行うための要件である電源ＯＮの状態を確保することができる。そして、このような携帯電話端末１００に対して、遠隔操作を行うことにより、写真の撮像、発音動作、音声入力などを実現することができ、これにより、紛失した、または盗難にあった携帯電話端末１００の周囲の様子を知ることができる。そして、このような周囲の様子に基づいて捜索を行うことにより、携帯電話端末１００を発見することができる。
【００５０】
また、本実施の形態における遠隔操作においては、ほとんどの機能を擬似ＯＦＦの状態で実現できるため、この遠隔操作による音は一切発生しない。これにより、例えば、携帯電話端末１００を不正使用している犯人に気付かれることなく、この犯人の写真や、周囲の状況を知ることができ、これに基づいて捜索を行うことができる。さらに、この携帯電話端末１００を取り戻した後に、犯人が不正使用を行った証拠として提出することができる。
【００５１】
【発明の効果】
以上説明したように、本発明によれば、紛失した携帯電話端末の現在位置に関する情報から実際の場所を特定し、且つ携帯電話端末を不正使用した人物を特定して捜索する際の手掛かりを得ることのできる携帯電話端末を提供することができる。
また、本発明によれば、紛失した携帯電話端末を遠隔操作し、不正使用を防止すると共に、この携帯電話端末を捜索するための制御方法を提供することができる。
【図面の簡単な説明】
【図１】本実施の形態における通信サービスを実現するシステムの構成を示すブロック図である。
【図２】本実施の形態における携帯電話端末の機能構成を示すブロック図である。
【図３】本実施の形態における携帯電話端末の電源の状態とそれぞれの状態の相関関係を示す状態遷移図である。
【図４】本実施の形態における携帯電話端末の遠隔操作全体の処理を示すフローチャートである。
【図５】遠隔操作による写真撮像および撮像された写真の送信を行うための処理の流れを示すフローチャートである。
【図６】遠隔操作による発音動作における処理の流れを示すフローチャートである。
【図７】遠隔操作による音声入力および入力された音声の送信を行うための処理の流れを示すフローチャートである。
【図８】本実施の形態における携帯電話端末の機能構成の変形例を示すブロック図である。
【符号の説明】
１０…携帯電話端末、２０…携帯電話基地局、３０…一般電話機、１００…携帯電話端末、１０４…モデム、１０５…音声出力部、１０６…音声入力部、１０７…制御回路、１０８…キー入力部、１０９…記憶部、１１０…カメラ部駆動回路、１１１…カメラ部、１１４…発音部駆動回路、１１５…発音部
【図１】
2004140710.tif 000003
【図２】
2004140710.tif 000004
【図３】
2004140710.tif 000005
【図４】
2004140710.tif 000006
【図５】
2004140710.tif 000007
【図６】
2004140710.tif 000008
【図７】
2004140710.tif 000009
【図８】
2004140710.tif 000010